(57)【要約】【課題】使い勝手の良い空気清浄機を提供する。【解決手段】補虫空間を形成する筺体１０９と、紫外線を出力するための第１のライト１８１と、可視光を出力するための第２のライト１８２と、照度センサ１８６とを備える捕虫装置１００が提供される。照度センサ１８６が所定値（Ａ）以下の照度を検知した場合または照度を検知しない場合、第１のライト１８１を点灯させたまま、第２のライト１８２を消灯させる。【選択図】図１０
2020025500.tif 000002
【特許請求の範囲】
【請求項１】
補虫空間を形成する筺体と、
紫外線を出力するための第１のライトと、
可視光を出力するための第２のライトと、
照度センサと
を備え、
前記照度センサが第１所定値以下の照度を検知した場合または照度を検知しない場合、前記第１のライトを点灯させたまま、前記第２のライトを消灯させる、補虫装置。
【請求項２】
人感センサを更に備え、
前記人感センサが人を検知しない場合、前記第１のライトを点灯させたまま、前記第２のライトを消灯させる、請求項１に記載の補虫装置。
【請求項３】
前記補虫空間に前記筺体の周りの空気を吸い込ませるためのファンと、
虫を検知するための虫検知部と、
を更に備え、
前記虫検知部が虫を検知しなくなってから第１所定時間経過後に、前記ファンを停止させる、請求項１または２に記載の補虫装置。
【請求項４】
前記照度センサが第２所定値以下の照度を検知した時または照度を検知しなくなった時から第２所定時間経過後に、前記ファンを停止させる、請求項３に記載の補虫装置。
【請求項５】
前記第２所定時間は前記第１所定時間よりも短い、請求項４に記載の補虫装置。
【発明の詳細な説明】
【技術分野】
【０００１】
本発明は、捕虫装置の技術に関し、特に、小さな虫を吸い込むことが可能な捕虫装置に関する。
【背景技術】
【０００２】
従来から捕虫装置が知られている。たとえば、特開２０１７−２１６９７１号公報（特許文献１）には、送風装置が記載されている。特許文献１によると、送風装置は、空気の流入口及び吹出口を開口して送風機を内装する筐体と、流入口を覆って筐体に着脱可能に取り付けられるとともに空気の吸込口を開口するカバー部材と、筐体とカバー部材との間の空間内に着脱可能に設置されるとともに一面に粘着面を有して虫を捕獲する捕虫シートと、所定の虫を誘引する周波数の音を出力するスピーカとを備えている。
【先行技術文献】
【特許文献】
【０００３】
【特許文献１】特開２０１７−２１６９７１号公報
【発明の概要】
【発明が解決しようとする課題】
【０００４】
本発明の目的は、使い勝手の良い捕虫装置を提供することにある。
【課題を解決するための手段】
【０００５】
本発明の一態様に従うと、補虫空間を形成する筺体と、紫外線を出力するための第１のライトと、可視光を出力するための第２のライトと、照度センサとを備える捕虫装置が提供される。照度センサが第１所定値以下の照度を検知した場合または照度を検知しない場合、第１のライトを点灯させたまま、第２のライトを消灯させる。
【発明の効果】
【０００６】
本発明によると、使い勝手の良い捕虫装置が提供される。
【図面の簡単な説明】
【０００７】
【図１】第１の実施の形態にかかる空気清浄機１００の構成を示す組み立て図である。
【図２】第１の実施の形態にかかる捕虫シート１０５を示す正面図である。
【図３】第１の実施の形態にかかる空気清浄機１００の構成を示すブロック図である。
【図４】第１の実施の形態にかかる空気清浄機１００の制御方法を示すフローチャートである。
【図５】第２の実施の形態にかかる空気清浄機１００の第１の構成を示す組み立てイメージ図である。
【図６】第２の実施の形態にかかる空気清浄機１００の第２の構成を示す組み立てイメージ図である。
【図７】第２の実施の形態にかかる空気清浄機１００の第３の構成を示す組み立てイメージ図である。
【図８】第２の実施の形態にかかる空気清浄機１００の第４の構成を示す組み立てイメージ図である。
【図９】第３の実施の形態にかかる空気清浄機１００の構成を示すブロック図である。
【図１０】第３の実施の形態にかかる空気清浄機１００の制御方法を示すフローチャートである。
【図１１】第４の実施の形態にかかる空気清浄機１００の構成を示すブロック図である。
【図１２】第４の実施の形態にかかる空気清浄機１００の制御方法を示すフローチャートである。
【図１３】第６の実施の形態にかかるネットワークシステム１を示すイメージ図である。
【図１４】第６の実施の形態にかかるサーバ２００の構成を示すブロック図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
（空気清浄機１００のフィルター構成）
【０００９】
以下では、捕虫装置の一例として捕虫能力を有する空気清浄機について説明する。図１を参照して、本実施の形態にかかる空気清浄機１００は、本体１０１の上面に吹き出し口１０２が形成され、本体１０１の裏側にファン１７０や各種のフィルターが取り付けられる。より詳細には、本体１０１の裏側には、前方から順に、ファン１７０、集塵フィルター１０６、脱臭フィルター１０７、プレフィルター１０８が取り付けられる。そして、それらの外側に外壁パネル１０９が取り付けられる。外壁パネル１０９には、複数の吸入口１０９Ｘが形成される。
【００１０】
本実施の形態においては、外壁パネル１０９の裏側すなわち本体１０１側と、本体１０１の背面あるいはプレフィルター１０８の背面と、の間には捕虫空間が形成される。換言すれば、本体１０１の後部に、外壁パネル１０９などの筐体によって捕虫空間が形成される。
【００１１】
また、本実施の形態においては、外壁パネル１０９の裏面には、図２に示すような捕虫シート１０５が取り付けられる。捕虫シート１０５は、全面に粘着剤が塗布されており、蚊やハエやコバエなどの小さな虫が接触すると、捕虫シート１０５に接着してしまって逃げられなくなるように構成されている。
【００１２】
以上のように構成されているため、本実施の形態にかかる空気清浄機１００においては、ファン１７０が駆動すると、その吸引力によって、外壁パネル１０９の吸入口１０９Ｘから、ホコリや虫を含んだ空気が吸い込まれる。そして、ファン１７０の吸引力によって、小さいホコリを含む空気はプレフィルター１０８を通過する。
【００１３】
このとき、大きめのホコリはプレフィルター１０８に引っ掛かる。虫は、プレフィルター１０８によって止められて、プレフィルター１０８と外壁パネル１０９との間を飛びながら、捕虫シート１０５に接着されていく。
【００１４】
プレフィルター１０８を通過した空気や小さなホコリは、ファン１７０の吸引力によって、さらに脱臭フィルター１０７を通過する。このとき、空気に含まれる匂いの元となる粒子が脱臭フィルター１０７に吸着される。
【００１５】
脱臭フィルター１０７を通過した空気は、ファン１７０の吸引力によって、さらに集塵フィルター１０６を通過する。このとき、小さなホコリが集塵フィルター１０６に付着する。集塵フィルター１０６を通過した空気は、吹き出し口１０２から吐き出される。
【００１６】
そして、特に本実施の形態にかかる空気清浄機１００に関しては、吸入口１０９Ｘの近傍にＵＶライト１８１が取り付けられる。これによって、蚊などの虫がＵＶライト１８１の光に引き寄せられて吸入口１０９Ｘの近傍に飛来しやすくなる。その結果、ファン１７０の吸引力によって、蚊などの虫が吸入口１０９Ｘに吸い込まれて捕虫シート１０５で捕えやすくなる。
【００１７】
なお、ここで、吸入口１０９Ｘの近傍とは、吸入口１０９Ｘから数ｃｍ、たとえば５ｃｍ以内、より好ましくは３ｃｍ、さらに好ましくは１ｃｍ以内であることが好ましい。
【００１８】
そして、本実施の形態にかかる空気清浄機１００においては、ＵＶライト１８１の光は人間には見えないため、ＵＶライト１８１の点灯および消灯に合わせて点灯および消灯する可視光ライト１８２が搭載される。これによって、ユーザは、ＵＶライト１８１が現在点灯中であるか否かを認識することができる。
【００１９】
また、本実施の形態においては吸入口１０９Ｘの近傍にマイク１９１が取り付けられる。そして、マイク１９１に蚊などの虫の羽音が検知されると、ファン１７０をＯＮしたり、ファン１７０の回転数を上げたりする。これによってさらに、吸入口１０９Ｘの近傍の虫を吸入口１０９Ｘから吸い込み易く構成されている。
【００２０】
なお、本実施の形態においては、マイク１９１やＵＶライト１８１は、本体１０１側、かつ外壁パネル１０９を本体１０１に取り付けた場合のおける外壁パネル１０９の吸入口１０９Ｘ近傍に設置されているが、マイク１９１やＵＶライト１８１は外壁パネル１０９側に取り付けられてもよい。
（空気清浄機１００の機能構成）
【００２１】
次に、本実施の形態にかかる空気清浄機１００の機能構成について説明する。図３を参照して、本実施の形態にかかる空気清浄機１００は、おもに、制御部１１０と、ディスプレイ１３０と、操作部１４０と、通信インターフェイス１６０と、ファン１７０と、ＵＶライト１８１、可視光ライト１８２と、マイク１９１と、スピーカ１９５と、を搭載する。
【００２２】
制御部１１０は、ＣＰＵ（Central Processing Unit）や各種のメモリなどを含む。制御部１１０のＣＰＵは、メモリのプログラムを実行することによって、空気清浄機１００の各部を制御する。
【００２３】
ディスプレイ１３０は、制御部１１０からの信号に基づいてテキストや画像を表示する。たとえば、制御部１１０は、現在の運転モードなどをディスプレイ１３０に表示させる。なお、ディスプレイ１３０は、単にＬＥＤが点灯するものであってもよい。
【００２４】
操作部１４０は、ボタンやタッチパネルなどによって実現され、ユーザからの命令を受け付けて制御部１１０に入力する。たとえば、制御部１１０は、操作部１４０を介して電源のＯＮ／ＯＦＦや風量の設定命令や蚊取りモードへの移行命令などを受け付ける。
【００２５】
通信インターフェイス１６０は、ＷｉＦｉ（登録商用）通信用のアンテナやＬＡＮコネクタなどを含み、制御部１１０からのデータをサーバや外部の装置に送信したり、外部の装置からのデータを制御部１１０に受け渡したりする。
【００２６】
ファン１７０は、モータや複数の羽から構成される。モータは、制御部１１０からの信号に基づいて、所定の回転数で羽を回転させる。
【００２７】
ＵＶライト１８１は、制御部１１０からの信号に基づいて、蚊などの虫を引き付けるための紫外線を発する。
【００２８】
可視光ライト１８２は、制御部１１０からの信号に基づいて、ユーザが認識可能な可視光を発する。
【００２９】
マイク１９１は、ユーザの肉声や蚊などの虫の羽音など、の音声を取得して対応する信号を制御部１１０に入力する。制御部１１０は、マイク１９１を介して、蚊などの虫の羽音を検知したり、ユーザの音声命令を取得したりする。
【００３０】
スピーカ１９５は、制御部１１０からの信号に基づいて、各種の音声を出力する。
（空気清浄機１００の制御方法）
【００３１】
次に、図４を参照しながら、本実施の形態にかかる空気清浄機１００の制御方法について説明する。空気清浄機１００の制御部１１０は、操作部１４０を介して、蚊取りモードの開始の命令を受け付けると、以下の処理を開始する。
【００３２】
制御部１１０は、ファン１７０の風量を自動に設定し、ＵＶライト１８１を強に設定する（ステップＳ１１２）。本実施の形態にかかる制御部１１０は、ＵＶライト１８１の点灯に合わせて、可視光ライト１８２も点灯する（ステップＳ１１６）。制御部１１０は、マイク１９１を利用して虫の羽音を検知したか否かを判断する（ステップＳ１１８）。
【００３３】
制御部１１０は、羽音を検知していない場合（ステップＳ１１８にてＮＯである場合）、ステップＳ１１２からの処理を繰り返す。一方、制御部１１０は、羽音を検知した場合（ステップＳ１１８にてＹＥＳである場合）、ファン１７０による風量を強める（ステップＳ１２０）。これによって、空気清浄機１００の近傍を飛んでいる蚊などの虫を、吸入口１０９Ｘから吸い込み易くする。
【００３４】
制御部１１０は、マイク１９１を介して、羽音がまだ聞こえているか否かを判断する（ステップＳ１２２）。羽音がまだ聞こえている場合（ステップＳ１２２にてＹＥＳである場合）、制御部１１０は、ステップＳ１２０からの処理を繰り返す。羽音が聞こえなくなったら（ステップＳ１２２にてＮＯである場合）、制御部１１０は、所定時間（Ｘ）（たとえば３分など）待機後（ステップＳ１２４）、ファン１７０の風量を自動に設定しなおす（ステップＳ１２６）。制御部１１０は、ステップＳ１１２からの処理を繰り返す。
＜第２の実施の形態＞
【００３５】
上記の実施の形態においては、吸入口１０９Ｘの近傍に、吸入口１０９Ｘ毎にＵＶライト１８１を取り付けるものであった。しかしながら、このような形態には限られない。
【００３６】
たとえば、図５に示すように、吸入口１０９Ｘのうちのいずれかのみの近傍にＵＶライト１８１を設置してもよい。
【００３７】
また、ＵＶライト１８１は、本体１０１の側壁に配置するものに限らず、図６に示すように、たとえば、外壁パネル１０９の裏側などに配置してもよい。あるいは、図７に示すように、本体１０１のうちの、外壁パネル１０９の内側部分に配置してもよい。なお、外壁パネル１０９の内側としては、ＵＶライト１８１は、外壁パネル１０９側に支持されてもよいし、本体１０１側に支持されてもよいし、プレフィルター１０８など他の部材によって支持されてもよい。
【００３８】
また、上記の実施の形態においては、吸入口１０９Ｘの近傍に、吸入口１０９Ｘ毎にマイク１９１を取り付けるものであった。しかしながら、このような形態には限られない。たとえば、図８に示すように、吸入口１０９Ｘのうちのいずれかのみの近傍にマイク１９１を設置してもよい。また、マイク１９１は、本体１０１の側壁に配置するものに限らず、外壁パネル１０９に取り付けられてもよい。
＜第３の実施の形態＞
【００３９】
本実施の形態においては、図９に示すように、空気清浄機１００は、照度センサ１８６と、人感センサ１８７も搭載する。そして、本実施の形態においては、空気清浄機１００の制御部１１０は、操作部１４０を介して、蚊取りモードの開始の命令を受け付けると、図１０に示す処理を開始する。
【００４０】
制御部１１０は、照度センサ１８６を介して空気清浄機１００の周囲が明るいか否かを判断する（ステップＳ２０２）。空気清浄機１００の周囲が暗い場合（ステップＳ２０２にてＮＯである場合）、制御部１１０は、ステップＳ２１２からの処理を実行する。
【００４１】
空気清浄機１００の周囲が明るい場合（ステップＳ２０２にてＹＥＳである場合）、制御部１１０は、人感センサ１８７を介して空気清浄機１００の周囲に人がいるか否かを判断する（ステップＳ２０４）。空気清浄機１００の周囲に人がいない場合（ステップＳ２０４にてＮＯである場合）、制御部１１０は、ステップＳ２１２からの処理を実行する。
【００４２】
空気清浄機１００の周囲に人がいる場合（ステップＳ２０４にてＹＥＳである場合）、制御部１１０は、可視光ライト１８２をＯＮする（ステップＳ２０６）。
【００４３】
制御部１１０は、ファン１７０の風量を自動に設定し、ＵＶライト１８１を強に設定する（ステップＳ２１２）。
【００４４】
つまり、本実施の形態においては、制御部１１０は、空気清浄機１００の周囲が明るい場合、かつ空気清浄機１００の周囲に人がいる場合にＵＶライト１８１の点灯に合わせて、可視光ライト１８２を点灯させる。そして、制御部１１０は、空気清浄機１００の周囲が暗い場合、または空気清浄機１００の周囲に人がいない場合にはＵＶライト１８１を点灯しても、可視光ライト１８２はＯＦＦしたままにする。なお、単に、制御部１１０は、空気清浄機１００の周囲が明るい場合にＵＶライト１８１の点灯に合わせて可視光ライト１８２を点灯させてもよい。あるいは、単に、制御部１１０は、空気清浄機１００の周囲に人がいる場合にＵＶライト１８１の点灯に合わせて可視光ライト１８２を点灯させてもよい。
【００４５】
制御部１１０は、マイク１９１を利用して虫の羽音を検知したか否かを判断する（ステップＳ２１８）。
【００４６】
制御部１１０は、羽音を検知していない場合（ステップＳ２１８にてＮＯである場合）、ステップＳ２０２からの処理を繰り返す。一方、制御部１１０は、羽音を検知した場合（ステップＳ２１８にてＹＥＳである場合）、ファン１７０による風量を強める（ステップＳ２２０）。これによって、吸入口１０９Ｘの近傍を飛んでいる蚊などの虫を吸い込み易くする。
【００４７】
制御部１１０は、マイク１９１を介して、羽音がまだ聞こえているか否かを判断する（ステップＳ２２２）。羽音がまだ聞こえている場合（ステップＳ２２２にてＹＥＳである場合）、制御部１１０は、ステップＳ２２０からの処理を繰り返す。羽音が聞こえなくなったら（ステップＳ２２２にてＮＯである場合）、制御部１１０は、所定時間（Ｘ）（たとえば３分など）待機後（ステップＳ２２４）、ファン１７０の風量を自動に設定しなおす（ステップＳ２２６）。制御部１１０は、ステップＳ２０２からの処理を繰り返す。
＜第４の実施の形態＞
【００４８】
本実施の形態においては、図１１に示すように、空気清浄機１００は、吸入口１０９Ｘ近傍のマイク１９１（以下では第１のマイク１９１ともいう。）だけでなく、吸入口１０９Ｘから離れた位置にもマイク１９２（以下では第２のマイク１９２ともいう。）を搭載してもよい。なお、吸入口１０９Ｘから離れた位置とは、空気清浄機１００の上面や全面など、吸入口１０９Ｘから数ｃｍ以上離れた位置を言う。
【００４９】
そして、本実施の形態においては、空気清浄機１００の制御部１１０は、操作部１４０を介して、蚊取りモードの開始の命令を受け付けると、図１２に示す処理を開始する。まず、制御部１１０は、照度センサ１８６を介して空気清浄機１００の周囲が明るいか否かを判断する（ステップＳ３０２）。空気清浄機１００の周囲が暗い場合（ステップＳ３０２にてＮＯである場合）、制御部１１０は、ステップＳ３１２からの処理を実行する。
【００５０】
空気清浄機１００の周囲が明るい場合（ステップＳ３０２にてＹＥＳである場合）、制御部１１０は、人感センサ１８７を介して空気清浄機１００の周囲に人がいるか否かを判断する（ステップＳ３０４）。空気清浄機１００の周囲に人がいない場合（ステップＳ３０４にてＮＯである場合）、制御部１１０は、ステップＳ３１２からの処理を実行する。
【００５１】
空気清浄機１００の周囲に人がいる場合（ステップＳ３０４にてＹＥＳである場合）、制御部１１０は、可視光ライト１８２をＯＮする（ステップＳ３０６）。
【００５２】
制御部１１０は、ファン１７０の風量を自動に設定し、ＵＶライト１８１をＯＮして強度を中に設定する（ステップＳ３１２）。
【００５３】
つまり、本実施の形態においては、制御部１１０は、空気清浄機１００の周囲が明るい場合、かつ空気清浄機１００の周囲に人がいる場合にＵＶライト１８１の点灯に合わせて、可視光ライト１８２を点灯させる。そして、制御部１１０は、空気清浄機１００の周囲が暗い場合、または空気清浄機１００の周囲に人がいない場合にはＵＶライト１８１を点灯しても、可視光ライト１８２はＯＦＦしたままにする。なお、単に、制御部１１０は、空気清浄機１００の周囲が明るい場合にＵＶライト１８１の点灯に合わせて可視光ライト１８２を点灯させてもよい。あるいは、単に、制御部１１０は、空気清浄機１００の周囲に人がいる場合にＵＶライト１８１の点灯に合わせて可視光ライト１８２を点灯させてもよい。
【００５４】
制御部１１０は、第１のマイクを利用して虫の羽音を検知したか否かを判断する（ステップＳ３１４）。制御部１１０は、羽音を検知していない場合（ステップＳ３１４にてＮＯである場合）、ステップＳ３１８からの処理を繰り返す。
【００５５】
羽音を検知した場合（ステップＳ３１４にてＹＥＳである場合）、制御部１１０は、ＵＶライトの強度を強める（ステップＳ３１６）。制御部１１０は、第２のマイク１９２を利用して虫の羽音を検知したか否かを判断する（ステップＳ３１８）。
【００５６】
制御部１１０は、第２のマイク１９２を利用して羽音を検知していない場合（ステップＳ３１８にてＮＯである場合）、ステップＳ３０２からの処理を繰り返す。一方、制御部１１０は、第２のマイク１９２を利用して羽音を検知した場合（ステップＳ３１８にてＹＥＳである場合）、ファン１７０による風量を強める（ステップＳ３２０）。これによって、吸入口１０９Ｘの近傍を飛んでいる蚊などの虫を吸い込み易くする。
【００５７】
制御部１１０は、マイク１９１を介して、羽音がまだ聞こえているか否かを判断する（ステップＳ３２２）。羽音がまだ聞こえている場合（ステップＳ３２２にてＹＥＳである場合）、制御部１１０は、ステップＳ３２０からの処理を繰り返す。羽音が聞こえなくなったら（ステップＳ３２２にてＮＯである場合）、制御部１１０は、所定時間（Ｘ）（たとえば３分など）待機後（ステップＳ３２４）、ファン１７０の風量を自動に設定しなおす（ステップＳ３２６）。制御部１１０は、ステップＳ３０２からの処理を繰り返す。
＜第５の実施の形態＞
【００５８】
上記の実施の形態に加えて、たとえば、制御部１１０は、照度センサ１８６の測定結果に基づいて、空気清浄機１００の周囲が暗い時には、ステップＳ３２４におけるファン１７０を駆動する時間（Ｙ）を所定時間（Ｘ）よりも短く、たとえば１分など、設定してもよい。
【００５９】
また、上記の実施の形態のステップＳ２０２およびステップＳ３０２においては、説明のために、空気清浄機１００の周囲が明るい場合と、暗い場合とに分けて、制御を異ならせるものであったが、周囲が所定の照度（Ａ）以上の場合と、周囲が所定の照度（Ａ）未満の場合とに分けで制御を異ならせる形態であってもよい。
【００６０】
さらには、ステップＳ２０６およびステップＳ３０６の可視光ライト１８２の点灯に関しては、周囲が所定の照度（Ａ）以上の場合と周囲が所定の照度（Ａ）未満の場合とに分けで制御を異ならせつつ、ステップＳ２２４およびステップＳ３２４のファンの停止までの時間（Ｘ）（Ｙ）に関しては、周囲が所定の照度（Ｂ）以上の場合と、周囲が所定の照度（Ｂ）未満の場合とに分けで制御を異ならせてもよい。なお、照度（Ａ）と照度（Ｂ）とに関しては、照度（Ａ）＝照度（Ｂ）でもよいし、照度（Ａ）＞照度（Ｂ）でもよいし、照度（Ａ）＜照度（Ｂ）でもよい。
＜第６の実施の形態＞
【００６１】
また、上記の実施の形態においては、空気清浄機１００の制御部１１０が各種の処理を実行するものであった。しかしながら、上記の制御部１１０の処理の一部または全部を他の装置が担ってもよい。
【００６２】
たとえば、図１３に示すようなネットワークシステム１も考えられる。すなわち、ルータ４００やキャリア網やインターネットなどを介して、空気清浄機１００と通信可能なサーバ２００が、制御部１１０の処理を実行してもよい。たとえば、図１３および図１４に示すように、サーバ２００のＣＰＵ２１０が、通信インターフェイス２６０を介して空気清浄機１００から各種のデータを取得することによって、空気清浄機１００の現在の状況に適した制御を決定し、通信インターフェイス２６０を介して空気清浄機１００に制御命令を提供するものであってもよい。
＜第７の実施の形態＞
【００６３】
上記の実施の形態の構成に加えて、空気清浄機１００の制御部１１０は、ステップＳ１１８やステップＳ２１８やステップＳ３１４やステップＳ３１８において羽音を検知すると、羽音を検知した旨のメッセージやＵＶライト１８１を強める旨のメッセージやファン１７０を強める旨のメッセージなどをスピーカ１９５から音声出力させたりディスプレイ１３０に表示させたりしてもよい。
【００６４】
あるいは、図１３に示すように、サーバ２００が、空気清浄機１００の各種の状況を、空気清浄機１００のユーザが保有するスマートフォンやタブレットなどのユーザ端末３００に提供してもよい。たとえば、空気清浄機１００の制御部１１０が、通信インターフェイス１６０を介してサーバ２００に、羽音を検知した旨やＵＶライト１８１を強める旨やファン１７０を強める旨のデータを送信する。すると、サーバ２００のＣＰＵ２１０が、通信インターフェイス２６０を介して、空気清浄機１００に対応付けられているユーザ端末３００に、羽音を検知した旨のメッセージやＵＶライト１８１を強める旨のメッセージやファン１７０を強める旨のメッセージを送信する。ユーザ端末３００は、それらのメッセージを音声出力したり表示したりする。
＜第８の実施の形態＞
【００６５】
本発明の捕虫装置には、捕虫以外の機能も併せて有する電気機器が含まれる。電気機器としては上記実施の形態の空気清浄機以外にも、エアコン、除湿機、加湿器、照明装置、洗濯機などが挙げられる。
＜まとめ＞
【００６６】
上記の実施の形態においては、補虫空間を形成する筺体と、紫外線を出力するための第１のライトと、可視光を出力するための第２のライトと、照度センサとを備える捕虫装置が提供される。照度センサが第１所定値以下の照度を検知した場合または照度を検知しない場合、第１のライトを点灯させたまま、第２のライトを消灯させる。
【００６７】
好ましくは、捕虫装置は、人感センサを更に備える。人感センサが人を検知しない場合、第１のライトを点灯させたまま、第２のライトを消灯させる。
【００６８】
好ましくは、捕虫装置は、補虫空間に筺体の周りの空気を吸い込ませるためのファンと、虫を検知するための虫検知部とを更に備える。虫検知部が虫を検知しなくなってから第１所定時間経過後に、ファンを停止させる。
【００６９】
好ましくは、照度センサが第２所定値以下の照度を検知した時または照度を検知しなくなった時から第２所定時間経過後に、ファンを停止させる。
【００７０】
好ましくは、第２所定時間は第１所定時間よりも短い。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００７２】
１００    ：空気清浄機（捕虫装置）
１０１    ：本体
１０２    ：吹き出し口
１０５    ：捕虫シート
１０６    ：集塵フィルター
１０７    ：脱臭フィルター
１０８    ：プレフィルター
１０９    ：外壁パネル（筐体）
１０９Ｘ  ：吸い込み口
１１０    ：制御部
１３０    ：ディスプレイ
１４０    ：操作部
１６０    ：通信インターフェイス
１７０    ：ファン
１８１    ：ＵＶライト
１８２    ：可視光ライト
１８６    ：照度センサ
１８７    ：人感センサ
１９１    ：第１のマイク
１９２    ：第２のマイク
１９５    ：スピーカ
２００    ：サーバ
２１０    ：ＣＰＵ
２６０    ：通信インターフェイス
３００    ：ユーザ端末
４００    ：ルータ
【図１】
2020025500.tif 000003
【図２】
2020025500.tif 000004
【図３】
2020025500.tif 000005
【図４】
2020025500.tif 000006
【図５】
2020025500.tif 000007
【図６】
2020025500.tif 000008
【図７】
2020025500.tif 000009
【図８】
2020025500.tif 000010
【図９】
2020025500.tif 000011
【図１０】
2020025500.tif 000012
【図１１】
2020025500.tif 000013
【図１２】
2020025500.tif 000014
【図１３】
2020025500.tif 000015
【図１４】
2020025500.tif 000016